(57)【要約】【課題】ダイニングルーム側からシステムキッチンを見る場合と、キッチンルーム側から見る場合とでは、システムキッチンのオリジナリティを強くするとダイニングルームとキッチンルームが見る方向によっては違和感が生ずること。【解決手段】給水管及び給湯管を挿入されてなる水栓本体と、前記水栓本体の上部にあって、前記給水管から供給された水と前記給湯管から供給された湯を混合する操作ハンドルと、前記操作ハンドルによって前記給水管から供給された水と前記給湯管から供給された湯を混合して排出する端部に吐出口を有する吐水管とを具備し、前記水栓本体の吐出口の反対側の背面及び上記操作ハンドルの上面にパネルを配設した。【選択図】図１
2016030911.tif 000002
【特許請求の範囲】
【請求項１】
少なくとも給水管及び給湯管を挿入されてなる水栓本体と、
前記水栓本体の上部にあって、前記給水管から供給された水と前記給湯管から供給された湯を混合し、その排出量を決定する操作ハンドルと、
前記操作ハンドルによって前記給水管から供給された水と前記給湯管から供給された湯を混合して排出する端部に吐出口を有する吐水管とを具備し、
前記水栓本体の吐出口の反対側の背面及び上記操作ハンドルの上面に意匠パネルを配設したことを特徴とするシステムキッチン用水栓。
【請求項２】
前記パネルは、前記水栓本体の背面及び前記操作ハンドルの上面に使用する意匠パネルとして予め複数毎準備した中から択一的に選択可能としていることを特徴とする請求項１に記載のシステムキッチン用水栓。
【発明の詳細な説明】
【技術分野】
【０００１】
本発明は、室内にダイニングルームとキッチンルームとの空間が一体となったダイニングルーム兼キッチンルームを有するマンションまたは一戸建て住宅が多くなってきた。それに伴い、アイランドタイプのキッチンセットが使用されるようになってきている。本願発明は、例えば、壁面から離して設置されるアイランドタイプの台所用流し台に使用されるシステムキッチン用水栓に関するものである。
【背景技術】
【０００２】
従来のシステムキッチンは、箱型のキャビネットを組み合わせて構成され、カウンターの全体形状が、Ｉ型、II型、Ｌ型といった直線的な配列とされている。アイランドタイプの台所用流し台においても、一般に、四角形や長方形といった角張った形状の流し台が用いられる。
野菜や食器類を洗うためのシンクと、加熱調理器が１つの流し台に配される場合は、流し台の長手方向に間隔をおいて配置される。また、各加熱調理器が流し台の正面手前側に２個並べられ、奥側に１つが配置され、流し台の正面に位置する人に対して、前後に配置されることになる。
【０００３】
特許文献１では、アイランドタイプの台所用流し台において、半部に加熱調理器を設け、他の半部にシンクを設け、作業台またはテーブルとなるワークトップを備える台所用流し台において、カウンター全体の基本形状を楕円形状とし、前記カウンターの全体形状を概略楕円形状または楕円形状の一部を窪ませた形状としたものである。
ここで、加熱調理器を前記台所用流し台のほぼ長軸上で、短手方向の中央付近に位置するように配置し、流し台の正背面の双方向から使用可能とし、複数の加熱調理器を台所用流し台の長軸方向に間隔を開けて配置している。前記の間隔は、各加熱調理器を使用する使用者同士の少なくとも胴体及び頭部が接触することなく余裕をもって作業できる程度以上に離れた間隔であって、かつ、各加熱調理器を使用する使用者同士がやや腕を曲げた状態で互いに手が届く距離より近接した間隔としている。
【先行技術文献】
【特許文献】
【０００４】
【特許文献１】特開２００３−１８０４６０
【発明の概要】
【発明が解決しようとする課題】
【０００５】
このように、特許文献１は、カウンターの外周を曲線で形成し、前記カウンター全体の基本形状を楕円形状とし、前記カウンターの全体形状を概略楕円形状とするか、または、楕円形状の一部を窪ませた形状としていることから、カウンター周囲のどこであっても使用しやすく、複数の人間が作業をするのに適している。また、こうしたカウンターの形状から、前記カウンター周囲に位置する人間の視線が中心部分に集まり、複数の人間が、調理や食事・後片づけ等を、互いにコミュニケーションを取りながら行える台所用流し台となる。
しかし、システムキッチンがトータルデザインとしてまとまりがあっても、ダイニングルーム側からシステムキッチンを見る場合と、キッチンルーム側から見る場合とでは、システムキッチンのオリジナリティを強くするとダイニングルームとの間に違和感が生じる。
【０００６】
そこで、本発明は、ダイニングルーム側からシステムキッチンを見る場合と、キッチンルーム側から見る場合とでは、システムキッチンのオリジナリティを強くするとダイニングルームとキッチンルームが見る方によっては違和感が生ずることのないシステムキッチン用水栓の提供を課題とするものである。
【課題を解決するための手段】
【０００７】
請求項１の発明にかかるシステムキッチン用水栓は、少なくとも給水管及び給湯管を挿入されてなるシステムキッチン用水栓本体と、前記システムキッチン用水栓本体の上部にあって、前記給水管から供給された水と前記給湯管から供給された湯を混合する操作ハンドルと、前記操作ハンドルによって前記給水管から供給された水と前記給湯管から供給された湯を混合して排出する端部に吐出口を有する吐水管とを具備し、前記水栓本体の吐出口の反対側の背面及び上記操作ハンドルの上面に意匠パネルを配設したものである。
ここで、上記水栓本体は、少なくとも給水管及び給湯管を挿入されてなるものであり、勿論、浄水器を通った浄水、給水管及び給湯管を通過した水とすることもできる。ここで、少なくとも給水管及び給湯管を挿入されてなる水栓本体は、給水管及び給湯管の挿入以外のものの挿入も有り得ることを意味する。
また、上記操作ハンドルは、前記水栓本体の上部にあって、前記給水管から供給された水と前記給湯管から供給された湯を混合するものであるが、その中に浄水器を通った浄水を選択給水できるようにしてもよい。
そして、前記吐水管は、前記操作ハンドルによって前記給水管から供給された水と前記給湯管から供給された湯を混合して吐出口から排出できればよいし、浄水器を通った浄水の通路(管路)であってもよい。
更に、前記水栓本体の吐出口の反対側の背面及び上記操作ハンドルの上面に配設する意匠パネルは、単色または木目等の環境の色彩に近いものとするものである。
【０００８】
請求項２の発明にかかるシステムキッチン用水栓の前記意匠パネルは、前記水栓本体の背面及び前記操作ハンドルの上面に使用する意匠パネルとして予め複数毎準備しておき、必要に応じてその中から択一的に選択可能とするものである。
ここで、前記水栓本体の背面及び前記操作ハンドルの上面に使用する意匠パネルとして予め複数毎から択一的に選択可能とするとは、予め多くの種類の意匠パネルを製造しておき、その使用環境に応じて取付けることができる。
【発明の効果】
【０００９】
請求項１のシステムキッチン用水栓は、少なくとも給水管及び給湯管を挿入されてなる水栓本体の上部にあって、前記給水管から供給された水と前記給湯管から供給された湯を混合する操作ハンドルと、前記操作ハンドルによって前記給水管から供給された水と前記給湯管から供給された湯を混合して排出する端部に吐出口を有する吐水管とにおいて、前記水栓本体の吐出口の反対側の背面及び上記操作ハンドルの上面に意匠パネルを配設したものであります。
この意匠パネルは、前記水栓本体の吐出口の反対側の背面と前記操作ハンドルの上面に配設したものである。それをキッチンルームからダイニングルームを見たとき、前記操作ハンドルの上面がダイニングルームの配色となり、また、ダイニングルームからキッチンルームを見たとき、前記水栓本体の吐出口の反対側の背面と前記操作ハンドルの上面がダイニングルームの配色となる。しかも、他の部分は、例えば、クロームメッキ等で水栓が形成されているから、環境の色彩等は、それに写り、違和感が生じない。人の習性から野菜や食器類を洗うためのシンクに在る水栓の認識をクロームメッキ部分で行うことができる。したがって、キッチンルームからダイニングルームを見たとき、シンクに在る水栓により、キッチンルームの水栓を認識される。また、ダイニングルームからキッチンルームを見たとき、前記水栓本体の吐出口の反対側の背面と前記操作ハンドルの上面がダイニングルームの配色等のイメージが共通し、違和感が感じない。
【００１０】
請求項２のシステムキッチン用水栓の前記意匠パネルは、前記水栓本体の背面及び前記操作ハンドルの上面に使用する意匠パネルとして予め複数毎準備した中から択一的に選択するものであるから、請求項１に記載のシステムキッチン用水栓に加えて、前記水栓本体の背面及び前記操作ハンドルの上面に使用する意匠パネルは、家具調の意匠パネルとして使用する場合には、その装飾性からデザインが限られてくるので、予め工場出荷する前に複数種類の意匠パネルを用意しておき、ユーザがその中から選択させることが望ましい。
【図面の簡単な説明】
【００１１】
【図１】図１は本発明の実施の形態のシステムキッチン用水栓を用いた使用環境を示す平面配置図である。
【図２】図２は本発明の実施の形態におけるシステムキッチン用水栓の右側面である。
【図３】図３は本発明の実施の形態におけるシステムキッチン用水栓の背面図である。
【図４】図４は本発明の実施の形態におけるシステムキッチン用水栓の斜視図である。
【図５】図５は本発明の実施の形態におけるシステムキッチン用水栓から意匠パネルを対応させた分解図である。
【図６】図６は本発明の他の実施の形態におけるシステムキッチン用水栓から意匠パネルを外した分解図である。
【発明を実施するための形態】
【００１２】
以下、本発明の実施の形態について、図面に基づいて説明する。なお、実施の形態において、図示の同一記号及び同一符号は、同一または相当する機能部分であるから、ここではその重複する説明を省略する。
【００１３】
［実施の形態１］
まず、本発明の実施の形態のシステムキッチン用水栓について、図１乃至図６を用いて説明する。
図１において、壁側等に沿って設けた台所用流し台１０は、加熱処理する加熱調理器１１，１２、水洗等を行うシンク１３、まな板上の操作等の調理台１４からなる。また、アイランドタイプの台所用流し台２０は、ＩＨ等の加熱調理器２１及びシンク２２、調理台２３で構成されている。本発明を実施する場合には、この構成は、本願発明の実施の形態が図示の配置のものに限定されるものではなく、参考例にすぎない。システムキッチン用水栓５０は、シンク１３及びシンク２２に各１個配設されている。
【００１４】
アイランドタイプの台所用流し台２０に隣接して、ダイニングテーブル３０のテーブル３１及び必要数の椅子３２が配置されている。ダイニングテーブル３０は任意の椅子３２及び任意の形状のテーブル３１とすることができる。
また、テーブル３１及び必要数の椅子３２に隣接して、応接セット４０として３人掛用ソファ４１、１人掛用ソファ４２、応接テーブル４３が置いてある。
ここでは、壁側に設けた台所用流し台１０とアイランドタイプの台所用流し台２０等の置いてある部屋はキッチンルームを構成し、テーブル３１及び必要数の椅子３２の置いてあるスペースをダイニングルームと呼ぶ。なお、ここでは、３人掛用ソファ４１、１人掛用ソファ４２、応接テーブル４３等の応接セット４０が置いてある部屋もダイニングルームと呼ぶことがある。
【００１５】
図示しない水を供給する給水管及び給湯を供給する給湯管を挿入されて、適当な温度のお湯を排出する水栓本体５１は、他に浄水器からの飲用水を選択して切り替える場合もある。この水栓本体５１は、水のみの供給、お湯のみの供給、それを混合した温度のお湯の供給、必要に応じてそれらに加えて浄水器からの飲用水の供給等が行えるように、内部に給水管、給湯管、浄水器の出力の配管等が切り替えて使用できるように入っている。なお、本実施の形態では、簡単化のために浄水器の出力についての説明を割愛する。少なくとも給水管及び給湯管を挿入されてなる水栓本体５１とは、給水管及び給湯管を挿入されてなる水栓本体５１のみを指す意味ではなく、他の形態もあり得ることを意味する。
【００１６】
水栓本体５１の上部にあって、例えば、給水管から供給された水と給湯管から供給された湯を混合する操作ハンドル５２は、給水管から供給された水と給湯管から供給された湯を同時に開閉することもできるし、片側の機能のみを使用して開閉することができる。操作ハンドル５２の回動角度で温度を、また、傾動によって水量を調整される。垂直回動Ｖと水平回動Ｈによって水量及び水温の調整ができる。
【００１７】
吐水管５３は、操作ハンドル５２によって図示しない給水管から供給された水と同様に図示しない給湯管から供給された湯を混合して排出するもので、端部に下方に水または湯を排出する吐出口５４を有している。
吐水管５３は、操作ハンドル５２によって操作されるバルブが水栓本体５１に供給されており、内部に給水管、給湯管の出力等が切り替えできる構造となっている。
【００１８】
水栓本体５１の下端には取付座５５が配設されていて、図示しない捩子によってシンク１３及びシンク２２にゴム製のパッキンを介して取付け自在となっている。
本実施の形態の水栓本体５１及び取付座５５は、回動自在としてもよい。例えば、水栓本体５１及び／または取付座５５を回動自在として回動させることもできる。これらの構造は公知であるのでその説明を省略する。
【００１９】
水栓本体５１の吐出口５４の反対側の背面Ａの意匠パネル５２ａ、及び操作ハンドル５２の上面Ｂには意匠パネル５１ａを配設している。意匠パネル５１ａ及び意匠パネル５２ａでは、図４に示す実施の形態では、水栓本体５１の背面Ａ側に意匠パネル５１ａを接着させたものである。また、操作ハンドル５２の上面Ｂ側に意匠パネル５２ａを接着させたものである。
【００２０】
本実施の形態は、意匠パネル５１ａ及び意匠パネル５２ａは別な個所で製造しておき、接着剤を使用して水栓本体５１の背面Ａ側に意匠パネル５１ａを接合し、操作ハンドル５２の上面Ｂ側に意匠パネル５２ａを接合したものである。勿論、意匠パネル５１ａ及び意匠パネル５２ａは、合成樹脂で形成したもの、或いは木材で形成したもの、金属で形成したものがある。別な個所で製造した意匠パネル５１ａ及び意匠パネル５２ａとは、製造ラインが相違するとの意味であり、格別、離れた場所で生産するという意味ではない。
【００２１】
特に、意匠パネル５１ａ及び意匠パネル５２ａは、水栓本体５１の吐出口５４の反対側の背面Ａと、操作ハンドル５２の上面Ｂに配設したものであるから、キッチンルームからダイニングルームを見たとき、前記操作ハンドル５２の上面Ｂの意匠パネル５２ａのダイニングルームの配色となり、ダイニングルームからキッチンルームを見たとき、水栓本体５１の吐出口５４の反対側の背面Ａと操作ハンドル５２の上面Ｂの意匠パネル５２ａがダイニングルームの配色となり、しかも、他の部分は、例えば、クロームメッキ等でシステムキッチン用水栓５０が形成されているから、水回りの野菜や食器類を洗うためのシンク１３，２２に在るシステムキッチン用水栓５０の認識をクロームメッキ部分で行う。
【００２２】
また、キッチンルームからダイニングルームを見たときには、シンク２２に在るシステムキッチン用水栓５０により、キッチンルームのシステムキッチン用水栓５０を認識される。また、ダイニングルームからキッチンルームを見たとき、水栓本体５１の吐出口５４の反対側の背面Ａと操作ハンドル５２の上面Ｂがダイニングルームの配色等のイメージが共通し、違和感が生じない。
特に、例えば、クロームメッキ等でシステムキッチン用水栓５０が形成されているから、クロームメッキは周囲を写し、キッチンルームと一体感を形成するから、そこに違和感が生じない。
【００２３】
本実施の形態では、水栓本体５１及び吐水管５３、操作ハンドル５２の長さ方向に垂直の断面を略四角形としているが、本願発明を実施する場合には、それらの長さ方向に垂直の断面を円形または楕円形とすることもできる。即ち、水栓本体５１の吐出口５４の反対側の背面Ａと、操作ハンドル５２の意匠パネル５１ａ及び意匠パネル５２ａを配設した上面Ｂとは、円または楕円であれば、１８０度までの範囲であればよいことを意味する。
したがって、水栓本体５１及び吐水管５３、操作ハンドル５２が長さ方向に垂直の断面を略四角形としているが、本願発明を実施する場合には、それらの長さ方向に垂直の断面を円形または楕円形とすることもできる。
【００２４】
図６の実施の形態は、図５の実施の形態では、意匠パネル５１ａ及び意匠パネル５２ａが接着剤で接合する事例で説明したが、本発明を実施する場合には、ホルダー６０の枠体内に意匠パネル５１ａ及び意匠パネル５２ａを入れることもできる。このとき、足部分は、係合するようにしてもよいし、接着してもよい。
本実施の形態のホルダー６０は意匠パネル５１ａを収容可能で両者は接着剤で取付けられている。ホルダー６０には４隅に係合足部６１が設けられていて、水栓本体５１側に設けられている係合孔５１ｄに挿入され結合することになる。この係合はドライバー等で強硬に剥がすことができる。
図６の水栓本体５１には意匠パネル５１ａを収容するホルダー６０が嵌め込まれるように嵌合孔５１ｅが形成されている。
或いは、水栓本体５１及び操作ハンドル５２に意匠パネル５１ａまたは意匠パネル５２ａが摺動する溝を形成し、そこを摺動するようにしてもよいし、或いは、意匠パネル５１ａまたは意匠パネル５２ａが摺動する溝を意匠パネル５１ａまたは意匠パネル５２ａに形成してもよい。
【００２５】
しかし、意匠パネル５１ａ及び意匠パネル５２ａは、接着剤で接合すると機械的強度及び寿命では、他の如何なる固着方法よりも信頼性の高い固着ができた。
特に、システムキッチン用水栓５０を清潔に保つ潔癖症にとっては、システムキッチン用水栓５０の周囲がとても気がかりとなり、分解して清掃することになるから、接着剤による固着が好適となる。
【００２６】
本実施の形態のシステムキッチン用水栓５０は、少なくとも給水管及び給湯管を挿入されてなる水栓本体５１の上部にあって、前記給水管から供給された水と前記給湯管から供給された湯を混合する操作ハンドル５２と、操作ハンドル５２によって前記給水管から供給された水と前記給湯管から供給された湯を混合して排出する端部に吐出口５４を有する吐水管とにおいて、水栓本体５１の吐出口５４の反対側の背面Ａ及び操作ハンドル５２の上面Ｂに意匠パネル５１ａ及び意匠パネル５２ａを配設したものであります。
【００２７】
この意匠パネル５１ａ及び意匠パネル５２ａは、水栓本体５１の吐出口５４の反対側の背面Ａと操作ハンドル５２の上面Ｂに配設したものであるから、キッチンルームからダイニングルームを見たとき、例えば、クロームメッキ等でシステムキッチン用水栓５０が形成されているから、人の習性から野菜や食器類を洗うためのシンク１３，２２に在るシステムキッチン用水栓５０の認識をクロームメッキ部分で行い、かつ、そのシステムキッチン用水栓５０に写り込んだ環境により、トータルデザインに反しないデザインであると看取される。
このとき、操作ハンドル５２の上面Ｂがダイニングルームの配色となり、ダイニングルームからキッチンルームを見たとき、水栓本体５１の吐出口５４の反対側の背面Ａと操作ハンドル５２の上面Ｂがダイニングルームの配色となり、トータルデザインから見ても違和感がない。
【００２８】
操作ハンドル５２の上面Ｂがダイニングルームの配色となり、ダイニングルームからキッチンルームを見たとき、水栓本体５１の吐出口５４の反対側の背面Ａと操作ハンドル５２の上面Ｂがダイニングルームの配色となり、しかも、他の部分は、例えば、クロームメッキ等でシステムキッチン用水栓５０が形成されているから、人の習性から野菜や食器類を洗うためのシンク１３，２２に在るシステムキッチン用水栓５０の認識をクロームメッキ部分で行う。したがって、キッチンルームからダイニングルームを見たとき、シンク１３，２２に在るシステムキッチン用水栓５０により、キッチンルームのシステムキッチン用水栓５０が認識される。また、ダイニングルームからキッチンルームを見たとき、水栓本体５１の吐出口５４の反対側の背面Ａと操作ハンドル５２の上面Ｂがダイニングルームの配色等のイメージが共通し、違和感を感じない。
【００２９】
本実施の形態のシステムキッチン用水栓の意匠パネル５１ａ及び意匠パネル５２ａは、水栓本体５１の背面Ａ及び操作ハンドル５２の上面Ｂに使用するパネルとして予め複数毎用意いる中から択一的に選択可能とするものであれば、水栓本体５１の背面Ａ及び操作ハンドル５２の上面Ｂに使用する意匠パネル５１ａ及び意匠パネル５２ａは、家具調の意匠パネル５１ａ及び意匠パネル５２ａとして使用する場合には、その装飾性からデザインが限られてくるので、予め工場出荷する前に複数種類の意匠パネル５１ａ及び意匠パネル５２ａを用意しておき、ユーザがその中から選択させることが望ましい。
【００３０】
ここで、水栓本体５１は、少なくとも給水管及び給湯管を挿入されてなるものであり、勿論、浄水器を通った浄水、給水管及び給湯管を通過した水とすることもできる。
また、操作ハンドル５２は、水栓本体５１の上部にあって、前記給水管から供給された水と前記給湯管から供給された湯を混合するものであるが、その中に浄水器を通った浄水を選択できるようにしてもよい。
そして、前記吐水管は、操作ハンドル５２によって前記給水管から供給された水と前記給湯管から供給された湯を混合して吐出口５４から排出できればよいし、浄水器を通った浄水の通路であってもよい。
更に、水栓本体５１の吐出口５４の反対側の背面Ａ及び操作ハンドル５２の上面Ｂに配設する意匠パネル５１ａ及び意匠パネル５２ａは、単色または木目等の環境の色彩に近いものとすることができる。
【００３１】
本実施の形態にかかるシステムキッチン用水栓５０の意匠パネル５１ａ及び意匠パネル５２ａは、水栓本体５１の背面Ａ及び操作ハンドル５２の上面Ｂに使用する意匠パネル５１ａ及び意匠パネル５２ａとして予め複数毎用意いる中から択一的に選択可能とするものである。
ここで、水栓本体５１の背面Ａ及び操作ハンドル５２の上面Ｂに使用する意匠パネル５１ａとして予め複数毎用意いる中から択一的に選択可能とするとは、予め多くの種類の意匠パネル５１ａ及び意匠パネル５２ａを製造しておき、その使用環境に応じて取付けることができる。
【産業上の利用可能性】
【００３２】
本発明は、壁面から離して設置されるアイランドタイプの台所用流し台に使用されるシステムキッチン用水栓において、特に、デザインの境界において室内のダイニングルームとキッチンルームが違和感が存在することのない設置が可能となるものである。
殊に、本発明を実施する場合には、ダイニングルームとキッチンルームの境界のみではなく、デザイン境界として使用することができる。
なお、意匠パネル５１ａと意匠パネル５２ａは、各意匠パネル５１ａと意匠パネル５２ａに濃淡を付与してもよいし、各意匠パネル５１ａと意匠パネル５２ａに異なった濃淡を付与してもよい。この濃淡は、下側を濃く、上側を薄くするように全体に濃淡を付与してもよい。或いは、意匠パネル５１ａと意匠パネル５２ａの一枚毎に濃淡を付与してもよい。発明者らの実験によると、意匠パネル５１ａと意匠パネル５２ａの色彩を変更するのは非常に個人的な好みが強く出るが、意匠パネル５１ａ及び意匠パネル５２ａの両者または意匠パネル５１ａと意匠パネル５２ａの各々、或いは意匠パネル５１ａと意匠パネル５２ａの一方のみに濃淡を付与すると、多くの人の評価が高くなった。
【符号の説明】
【００３３】
３０      ダイニングテーブル
５０      システムキッチン用水栓
５１      水栓本体
５１ａ    意匠パネル
５２      操作ハンドル
５２ａ    意匠パネル
５３      吐水管
５４      吐出口
５５      取付座
Ａ        水栓本体の背面
Ｂ        操作ハンドルの上面
１３，２２    シンク
【図１】
2016030911.tif 000003
【図２】
2016030911.tif 000004
【図３】
2016030911.tif 000005
【図４】
2016030911.tif 000006
【図５】
2016030911.tif 000007
【図６】
2016030911.tif 000008